(57)【特許請求の範囲】
【請求項１】
顧客毎に少なくとも一部の構成が異なるコントローラによって制御されるプリンタ装置を有するプリンタシステムであって、
媒体に印刷処理を行う印刷処理手段と、
前記印刷処理が行われた媒体が排出される排出トレイに前記媒体が存在するか否かを表すトレイ状態を検出するトレイ状態検出手段と、
前記コントローラが変更されたことを表す変更情報を取得する変更情報取得手段と、
前記変更情報取得手段が前記変更情報を取得するのに応じて、前記トレイ状態に基づいて、前記プリンタ装置における印刷処理を行うか否かを制御する印刷処理制御手段と、
を含むことを特徴とするプリンタシステム。
【請求項２】
前記印刷処理制御手段は、前記検出されたトレイ状態が、前記排出トレイに前記媒体が存在しないことを表す場合には、前記印刷処理を行うよう制御することを特徴とする請求項１記載のプリンタシステム。
【請求項３】
前記印刷処理制御手段は、前記検出されたトレイ状態が、前記排出トレイに媒体が存在することを表す場合には、前記印刷処理を行わないように制御することを特徴とする請求項１または２記載のプリンタシステム。
【請求項４】
前記プリンタシステムは、更に、前記検出されたトレイ状態が、前記排出トレイに媒体が存在することを表す場合に、警告する警告手段を含むことを特徴とする請求項３記載のプリンタシステム。
【請求項５】
前記印刷処理制御手段は、更に、中断したジョブデータに基づく印刷処理を再開する場合には、前記印刷処理を再開するよう制御することを特徴とする請求項３記載のプリンタシステム。
【請求項６】
前記プリンタシステムは、更に、最後に印刷処理を行ったジョブデータを識別するジョブ識別情報を保持するジョブ識別情報記憶手段を有し、
前記印刷処理制御手段は、現在の印刷対象であるジョブデータのジョブ識別情報が前記保持されたジョブ識別情報と同じである場合には、前記印刷処理を再開するよう制御することを特徴とする請求項４記載のプリンタシステム。
【請求項７】
前記コントローラは、フロントエンド部と、前記フロントエンド部が取得したジョブデータを画像データに変換するデータ変換部と、バックエンド部を含み、
前記コントローラは、前記バックエンド部が顧客毎に共通化されていることを特徴とする請求項１乃至６のいずれかに記載のプリンタシステム。
【請求項８】
顧客毎に少なくとも一部の構成が異なるコントローラによって制御されるプリンタ装置に含まれるコンピュータで実行されるプログラムであって、
印刷処理が行われた媒体が排出される排出トレイに前記媒体が存在するか否かを表すトレイ状態を検出するトレイ状態検出手段、
前記コントローラが変更されたことを表す変更情報を取得する変更情報取得手段、及び、
前記変更情報取得手段が前記変更情報を取得するのに応じて、前記トレイ状態に基づいて、前記プリンタ装置における印刷処理を行うか否かを制御する印刷処理制御手段、
として前記コンピュータを機能させる、
ことを特徴とするプログラム。
【発明の詳細な説明】
【技術分野】
【０００１】
本発明は、プリンタシステム、プリンタシステム制御プログラムに関する。
【背景技術】
【０００２】
業務用プリンタにおいては、異なる顧客のデータが誤って混在することを防止するため、ユーザ毎にデータが分割して管理される場合がある。
【発明の概要】
【発明が解決しようとする課題】
【０００３】
上記のように異なる顧客のデータが誤って混在することを防止するため、例えば、１のプリンタに対して、顧客毎に別のコントローラを用いることも考えられる。しかしながら、顧客毎に別のコントローラを用いた場合であっても、複数の顧客から印刷業務を受注している場合に連続して同一のプリンタ装置で印刷処理を行うと、同じ排出トレイに異なるジョブデータに基づく複数の紙等の出力結果が重なって出力される。よって、用紙を取り出す際に、先のジョブデータに基づく出力結果の一部が後のジョブデータに基づく出力結果に混入する場合がある。
【０００４】
本発明は、１のプリンタに対して顧客毎に別のコントローラを用いる場合において、先のジョブに基づく出力結果の一部が後のジョブに基づく出力結果に混入することをより効果的に防止するプリンタシステム等を実現することを目的とする。
【課題を解決するための手段】
【０００５】
請求項１に記載のプリンタシステムは、顧客毎に少なくとも一部の構成が異なるコントローラによって制御されるプリンタ装置を有するプリンタシステムであって、媒体に印刷処理を行う印刷処理手段と、前記印刷処理が行われた媒体が排出される排出トレイに前記媒体が存在するか否かを表すトレイ状態を検出するトレイ状態検出手段と、前記コントローラが変更された場合に、前記トレイ状態に基づいて、前記プリンタ装置における印刷処理を行うか否かを制御する印刷処理制御手段と、を含むことを特徴とする。
【０００６】
請求項２に記載のプリンタシステムは、請求項１に記載の発明において、前記印刷処理制御手段は、前記検出されたトレイ状態が、前記排出トレイに前記媒体が存在しないことを表す場合には、前記印刷処理を行うよう制御することを特徴とする。
【０００７】
請求項３に記載のプリンタシステムは、請求項１または２に記載の発明において、前記印刷処理制御手段は、前記検出されたトレイ状態が、前記排出トレイに媒体が存在することを表す場合には、前記印刷処理を行わないように制御することを特徴とする。
【０００８】
請求項４に記載のプリンタシステムは、請求項３に記載の発明において、前記プリンタシステムは、更に、前記検出されたトレイ状態が、前記排出トレイに媒体が存在することを表す場合に、警告する警告手段を含むことを特徴とする。
【０００９】
請求項５に記載のプリンタシステムは、請求項３に記載の発明において、前記印刷処理制御手段は、更に、中断したジョブデータに基づく印刷処理を再開する場合には、前記印刷処理を再開するよう制御することを特徴とする。
【００１０】
請求項６に記載のプリンタシステムは、請求項４に記載の発明において、前記プリンタシステムは、更に、最後に印刷処理を行ったジョブデータを識別するジョブ識別情報を保持するジョブ識別情報記憶手段を有し、前記印刷処理制御手段は、現在の印刷対象であるジョブデータのジョブ識別情報が前記保持されたジョブ識別情報と同じである場合には、前記印刷処理を再開するよう制御することを特徴とする。
【００１１】
請求項７に記載のプリンタシステムは、請求項１乃至６のいずれかに記載の発明において、前記コントローラは、フロントエンド部と、前記フロントエンド部が取得したジョブデータを画像データに変換するデータ変換部と、バックエンド部を含み、前記コントローラは、前記バックエンド部が顧客毎に共通化されていることを特徴とする。
【００１２】
請求項８に記載のプリンタ制御プログラムは、顧客毎に少なくとも一部の構成が異なるコントローラによって制御されるプリンタ装置を有するプリンタシステムであって、媒体に印刷処理を行う印刷処理手段、前記印刷処理が行われた媒体が排出される排出トレイに前記媒体が存在するか否かを表すトレイ状態を検出するトレイ状態検出手段、及び、前記コントローラが変更された場合に、前記トレイ状態に基づいて、前記プリンタ装置における印刷処理を行うか否かを制御する印刷処理制御手段、としてコンピュータシステムを機能させる、ことを特徴とする。
【発明の効果】
【００１３】
請求項１乃至３、７及び８に記載の発明によれば、１のプリンタに対して顧客毎に別のコントローラが用いる場合において、先のジョブに基づく出力結果の一部が後のジョブに基づく出力結果に混入することをより効果的に防止される。
【００１４】
請求項４に記載の発明によれば、警告により、先のジョブに基づく出力結果の取り出しがユーザに促される。
【００１５】
請求項５、６に記載の発明によれば、同じジョブについての印刷処理が中断した場合には、印刷処理が再開される。
【図面の簡単な説明】
【００１６】
【図１】本発明の実施の形態におけるプリンタシステムの構成の概要について説明するための図である。
【図２】端末装置の構成の概要について説明するための図である。
【図３】プリンタ装置の構成の概要について説明するための図である。
【図４】コントローラの構成の概要について説明するための図である。
【図５】第１の実施形態におけるプリンタシステムの機能的構成の一例を説明するための図である。
【図６】プリンタシステムの構成の一例について説明するための図である。
【図７】プリンタシステムの構成の他の一例について説明するための図である。
【図８】プリンタシステムの構成の他の一例について説明するための図である。
【図９】仮想化したコントローラの構成の一例を示す図である。
【図１０】コントローラの変更画面の一例を示す図である。
【図１１】警告メッセージの一例を示す図である。
【図１２】第１の実施の形態におけるプリンタシステムの処理のフローの一例を示す図である。
【図１３】第１の実施形態におけるプリンタシステムの機能的構成の一例を説明するための図である。
【図１４】ジョブＩＤ記憶部に記憶されたテーブルの一例を示す図である。
【図１５】第２の実施の形態におけるプリンタシステムの処理のフローの一例を示す図である。
【発明を実施するための形態】
【００１７】
以下、本発明の実施形態について、図面を参照しつつ説明する。なお、図面については、同一又は同等の要素には同一の符号を付し、重複する説明は省略する。
【００１８】
図１は、本発明の実施の形態におけるプリンタシステムの構成の概要について説明するための図である。プリンタシステム１００は、プリンタ装置１０１、コントローラ１０２、及び端末装置１０３を含む。端末装置１０３は、ジョブデータ等の印刷データを生成して、ネットワーク１０４を介して、コントローラ１０２に送信する。コントローラ１０２は、端末装置１０３から送信された印刷データに基づいて、プリンタ装置１０１の印刷処理を制御する。プリンタ装置１０１は、コントローラ１０２からの制御信号に応じて、印刷処理を行う。
【００１９】
図２は、端末装置の構成の概要について説明するための図である。図２に示すように、端末装置１０３は、制御部２０１、記憶部２０２、操作部２０３、表示部２０４、通信部２０５を含む。なお、各部２０１乃至２０５は内部バス２０６により互いに、接続される。
【００２０】
制御部２０１は、例えば、ＣＰＵであって、記憶部２０２に格納されたプログラムに従って動作する。記憶部２０２は、例えば、ＲＯＭやＲＡＭ、ハードディスク等の情報記録媒体で構成され、制御部２０１によって実行されるプログラムを保持する情報記録媒体である。また、記憶部２０２は、制御部２０１のワークメモリとしても動作する。
【００２１】
なお、当該プログラムは、例えば、ネットワークを介して、ダウンロードされて提供されてもよいし、または、ＣＤ−ＲＯＭやＤＶＤ−ＲＯＭ等のコンピュータで読み取り可能な各種の情報記録媒体によって提供されてもよい。
【００２２】
操作部２０３は、例えば、キーボード等のインターフェースで構成され、ユーザの指示操作に応じて、当該指示操作の内容を制御部２０１に出力する。表示部２０４は、例えば、液晶ディスプレイ、有機ＥＬディスプレイ等であって、制御部２０１からの指示に従い、情報を表示する。通信部２０５は、コントローラ１０２と接続される。
【００２３】
図３は、プリンタ装置の構成の概要について説明するための図である。図３に示すように、プリンタ装置１０１は、制御部３０１、記憶部３０２、操作部３０３、表示部３０４、プリンタ部３０５、通信部３０６を含む。各部３０１乃至３０６は内部バス３０７により互いに接続される。
【００２４】
操作部３０３は、例えば、複数のボタンや後述する表示部３０４に表示されたタッチパネル等のインターフェースで構成され、ユーザの指示操作に応じて、当該指示操作の内容を制御部３０１に出力する。表示部３０４は、例えば、液晶ディスプレイ、有機ＥＬディスプレイ等であって、制御部３０１からの指示に従い、情報を表示する。
【００２５】
プリンタ部３０５は、例えば、コントローラ１０２からの制御信号に応じて、コントローラ１０２取得された画像を印刷する。通信部３０６は、プリンタ装置１０１をコントローラ１０２と接続する。なお、制御部３０１及び記憶部３０２等の構成は、上記制御部２０１及び記憶部３０２と同様であるので説明を省略する。
【００２６】
図４は、コントローラの構成の概要について説明するための図である。図４に示すように、コントローラ１０２は、例えば、制御部４０１、記憶部４０２、操作部４０３、表示部４０４、通信部４０５を含む。各部４０１乃至４０５は内部バス４０６により接続される。また、各部４０１乃至４０５の構成は、上記制御部３０１、記憶部３０２、操作部３０３、表示部３０４、通信部３０６と同様であるので説明を省略する。また、図２乃至図４に示したプリンタ装置１０１、端末装置１０３、コントローラ１０２の構成は一例であって、本実施の形態は上記に限定されるものではない。
【００２７】
図５は、本実施の形態におけるプリンタシステムの機能的構成の一例を説明するための図である。なお、下記においては、理解の容易化のため、左のコントローラ１０２が右のコントローラ１０２に変更された場合について説明する。また、図５においては、端末装置１０３の機能的構成については図示を省略する。
【００２８】
図５に示すように、プリンタシステム１００は、機能的に、変更情報取得部５０１、ジョブ取得部５０２、トレイ状態検出部５０３、警告部５０４、印刷処理制御部５０５、印刷部５０６を有する。なお、図５に示した構成は一例であって、本実施の形態はこれに限定されるものではない。
【００２９】
変更情報取得部５０１は、コントローラ１０２が変更されたか否かを表す変更情報を取得する。具体的には、例えば、左のコントローラ１０２から右のコントローラ１０２への接続が変更された場合や、左のコントローラ１０２から右のコントローラ１０２への変更がコントローラ１０２等に指示された場合に変更情報を取得する。なお、本実施の形態において、左のコントローラ１０２と右のコントローラ１０２に割り当てられる顧客は異なる。具体的には、本実施の形態においては、顧客毎に一部または全部の構成が異なるコントローラ１０２を用いて１のプリンタ装置１０１を制御する。
【００３０】
より具体的には、例えば、本実施の形態のプリンタシステム１００は、図５に示す場合のように、顧客毎にコントローラ１０２自体を物理的に変更するように構成してもよい。また、図６に示す場合のように、例えば、顧客毎に、コントローラ１０２のバックエンド部（ＢＥＰ部(backend processor)）を共通にするとともに、フロントエンド部（ＣＥＰ部(center processor)）とＲＩＰ部(raster image processor)のみを変更するなどコントローラの構成の一部を変更するように構成してもよい。
【００３１】
ここで、ＣＥＰ部は、機能的に、ジョブデータを端末装置１０３から受信し、管理する。ＲＩＰ部は、ジョブデータに応じてイメージデータを生成する。ＢＥＰ部は、プリンタ装置１０１に接続され、生成されたイメージデータをプリンタ装置１０１に出力するなど、プリンタ装置１０１を制御する。
【００３２】
ＣＥＰ部、ＲＩＰ部、ＢＥＰ部は、図７に示すように、１のハードウェアで構成してもよいし、図８に示すように、それぞれ別のハードウェアで構成してもよい。更に、図９に示すように、各コントローラ１０２は、仮想マシンで構成してもよい。更に、上記図６に示すように、ＣＥＰ部、ＲＩＰ部、ＢＥＰ部は、ＣＥＰ部とＲＩＰ部を独立のハードウェアで構成し、ＢＥＰ部のみを独立のハードウェアで構成してもよい。更に、ＢＥＰ部のみを独立のハードウェアで構成し、ＢＥＰ部を専用のインターフェース（ケーブル）でプリンタ装置１０１に接続したままで、顧客毎に一部（ＣＥＰ部及びＲＩＰ部）をソフトウェア的に切り替えて用いるように構成してもよい。この場合において、上記のようにコントローラ１０２を仮想マシンで構成する場合、例えば、ＣＥＰ部にＵＩ部（ユーザインタフェース部）を設け、図１０に示すようなＢＥＰ部を表すアイコンをマウスでドラッグすることにより、コントローラ１０２の構成を変更可能なように構成してもよい。なお、図１０左がドラッグ前のアイコンの様子を示し、図１０右がドラッグ後のアイコンの様子を示す。なお、図７及び図８におけるクライアントＰＣは、例えば、端末装置１０３に相当する。
【００３３】
ジョブ取得部５０２は、コントローラ１０２から印刷処理に関するジョブを表すジョブデータを取得する。
【００３４】
トレイ状態検出部５０３は、プリンタ装置１０１の排出トレイに用紙があるか否かを示すトレイ状態を検出する。当該トレイ状態の検出には、例えば、用紙によって押圧されることによって用紙を検出する機械的なセンサや、光センサなどの周知のセンサを用いる。なお、当該トレイ状態検出部５０３は、例えば、プリンタ装置１０１が複数のトレイを有する場合には、各トレイ状態を検出するように構成してもよい。
【００３５】
警告部５０４は、トレイ状態検出部５０３がトレイに用紙があると検出した場合には、警告する。具体的には、例えば、図１１に示すようなトレイに残っている用紙を取り除くことをユーザに促す警告メッセージを、プリンタ装置１０１や対応するコントーラ１０２や対応する端末装置１０３の表示部３０４に表示する。なお、当該警告は、上記のような警告メッセージに限定されず、例えば、音声で警告するなど、他の形式であってもよい。
【００３６】
印刷処理制御部５０５は、トレイ状態検出部５０３がトレイに用紙がないと検出した場合には、当該ジョブに基づく印刷処理を印刷部５０６が行うよう制御する。つまり、例えば、トレイに用紙がないと判断された場合に、印刷処理が開始される。一方、印刷処理制御部５０５は、トレイ状態検出部５０３がトレイに用紙があると検出した場合には、印刷部５０６が印刷処理を行わないように制御する。つまり、例えば、トレイに用紙が残っていると判断された場合には、印刷処理を開始しない、または、印刷処理を中止するように制御する。なお、用紙は、印刷処理を行う媒体であればよく、用紙に限定されるものではない。
【００３７】
印刷部５０６は、ジョブデータに基づいて、媒体に印刷処理を行い、排出トレイに印刷処理が行われた媒体を排出する。具体的には、例えば、ジョブデータは、上記のようにコントローラ１０２のＲＩＰ部で画像データに変換され、印刷部５０６は、当該変換された画像データに基づいて媒体に印刷処理を行う。当該印刷処理が行われた媒体は、排出トレイに重ねて保持される。
【００３８】
なお、図５においては、説明の便宜のため、コントローラ１０２自体を顧客毎に物理的に変更する場合について説明したが、本実施の形態はこれに限られず、例えば図６を用いて説明したように、コントローラ１０２の構成の一部が顧客毎に変更されるように構成してもよい。この場合、例えば、変更情報取得部５０１、ジョブ取得部５０２、トレイ状態検出部５０３、警告部５０４、印刷処理制御部５０５の全部または一部の構成をコントローラ１０２が有するように構成してもよい。具体的には、例えば、コントローラ１０２が、上記変更情報取得部５０１、ジョブ取得部５０２、警告部５０４、印刷処理制御部５０５を含むように構成してもよい。
【００３９】
図１２は、本実施の形態におけるプリンタシステムの処理のフローの一例について説明する為の図である。
【００４０】
図１２に示すように、まず、変更情報取得部５０１は、コントローラ１０２が変更されたか否かを表す変更情報を取得する（Ｓ１０１）。ジョブ取得部５０２は、コントローラ１０２からジョブを取得する（Ｓ１０２）。トレイ状態検出部５０３は、トレイ状態を検出する（Ｓ１０３）。トレイ状態検出部５０３がトレイに用紙があると検出した場合には、警告部５０４は、警告メッセージを表示する（Ｓ１０４）。そして、Ｓ１０３に戻る。トレイ状態検出部５０３がトレイに用紙がないことを検出した場合には、印刷処理制御部５０５は、当該ジョブによる印刷処理を行う（Ｓ１０５）。そして、処理を終了する。
【００４１】
なお、上記フローは一例であって本実施の形態は上記に限定されるものではない。例えば、Ｓ１０１及びＳ１０２の順序は逆であってもよい。
【００４２】
本発明は、上記実施の形態に限定されるものではなく、上記実施の形態で示した構成と実質的に同一の構成、同一の作用効果を奏する構成又は同一の目的を達成することができる構成で置き換えてもよい。例えば、上記においては、プリンタ装置１０１が主に１のトレイを有する場合について説明したが、複数のトレイを有するように構成してもよい。この場合、ジョブが実行され印刷処理が行われた媒体が出力されるトレイ毎に用紙の有無が検出等を行われ、トレイ毎に印刷処理の開始や警告が行われることはいうまでもない。
【００４３】
[第２の実施形態]
【００４４】
次に、本発明の第２の実施形態を説明する。本実施の形態においては、主に、最後に印刷処理が行われたジョブを識別するジョブ識別情報を保持し、印刷対象として取得されたジョブとジョブＩＤ（識別情報）が同じである場合には、当該ジョブの印刷処理を再開する、つまり、途中から印刷処理を実行する点が上記第１の実施形態と異なる。なお、下記において第１の実施形態と同様である点については説明を省略する。
【００４５】
図１３は、本実施の形態におけるプリンタシステムの機能的構成の一例を示す図である。図１３に示すように、本実施の形態におけるプリンタシステム１００は、機能的に、変更情報取得部５０１、ジョブ取得部５０２、トレイ状態検出部５０３、警告部５０４、印刷処理制御部５０５、印刷部５０６、ジョブＩＤ記憶部５０７を含む。なお、図１３に示した構成は一例であって、本実施の形態はこれに限定されるものではない。
【００４６】
ジョブ取得部５０２は、取得したジョブデータに基づいて、当該ジョブを識別するジョブＩＤ（識別情報）、当該ジョブによる印刷処理結果が排出されるトレイを識別するトレイ識別ＩＤ、当該コントローラ１０２を識別するコントローラＩＤを取得し、ジョブＩＤ記憶部５０７に記憶する。具体的には、例えば、ジョブＩＤ記憶部５０７は、図１４に示すように、トレイＩＤ、コントローラＩＤ、ジョブＩＤを関連付けて、例えば、テーブルの形式で、記憶する。
【００４７】
トレイ状態検出部５０３は、トレイ状態を検出する。ここで、トレイ状態検出部５０３は、トレイ毎（トレイＩＤ毎）に用紙の有無を検出する。そして、トレイ状態検出部５０３がトレイに用紙があると検出した場合、印刷処理制御部５０５は、ジョブＩＤ記憶部５０７を参照し、ジョブ取得部５０２が取得したジョブＩＤ及びコントーラＩＤが、ジョブＩＤ記憶部５０７に記憶されたジョブＩＤ及びコントローラＩＤと同じか否かを判定する。
【００４８】
具体的には、例えば、今回ジョブ取得部５０２が取得したジョブＩＤがＪ１でありコントローラＩＤがＣ１である場合において、図１４に示すように、ジョブＩＤ記憶部５０７がジョブＩＤ：Ｊ１及びコントローラＩＤ：Ｃ１を記憶している場合、印刷処理制御部５０５は、ジョブＩＤが同じであると判断する。そして、印刷部５０６に印刷処理を再開させる。つまり、途中から印刷処理が行われる。
【００４９】
一方、印刷処理制御部５０５が、ジョブＩＤが同じでないと判定した場合には、警告部５０４は、警告を行うとともに、印刷処理制御部５０５は、印刷部５０６に対し印刷処理を開始する制御を行わない。一方、トレイ状態検出部５０３がトレイに用紙がないと検出した場合には、印刷処理制御部５０５は、印刷部５０６に印刷処理を行わせる。
【００５０】
図１５は、本実施の形態におけるプリンタシステムの処理のフローの一例を示す図である。変更情報取得部５０１は、コントローラ１０２が変更されたか否かを表す変更情報を取得する（Ｓ２０１）。ジョブ取得部５０２は、コントローラ１０２からジョブを取得する（Ｓ２０２）。ジョブ取得部５０２は、取得したジョブデータに基づいて、当該ジョブを識別するジョブＩＤ、当該ジョブによる印刷処理結果が排出されるトレイを識別するトレイ識別ＩＤ、当該コントローラ１０２を識別するコントローラＩＤを取得し、ジョブＩＤ記憶部５０７に記憶する（Ｓ２０３）。トレイ状態検出部５０３は、トレイ状態を検出する（Ｓ２０４）。
【００５１】
Ｓ２０４でトレイ状態検出部５０３がトレイに用紙があると検出した場合には、印刷処理制御部５０５は、ジョブＩＤ記憶部５０７を参照し、Ｓ１０２で取得したジョブＩＤが、ジョブＩＤ記憶部５０７に記憶されたジョブＩＤと同じか否かを判定する（Ｓ２０５）。同じであると判定した場合には、印刷部５０６に印刷処理を再開させる（Ｓ２０６）。そして処理を終了する。一方、Ｓ２０５でジョブＩＤが同じでないと判定した場合には、警告部５０４は、警告する（Ｓ２０７）。そして、Ｓ２０４に戻る。一方、Ｓ２０４でトレイ状態検出部５０３がトレイに用紙がないと検出した場合には、印刷処理制御部５０５は、印刷部５０６に印刷処理を開始させる（Ｓ２０８）。そして処理を終了する。
【００５２】
なお、上記フローは一例であって本実施の形態は上記に限定されるものではない。例えば、Ｓ２０１及びＳ２０２の順序は逆であってもよい。
【００５３】
本発明は、上記第１及び第２の実施の形態に限定されるものではなく、上記実施の形態で示した構成と実質的に同一の構成、同一の作用効果を奏する構成又は同一の目的を達成することができる構成で置き換えてもよい。例えば、変更情報取得部５０１、ジョブ取得部５０２、トレイ状態検出部５０３、警告部５０４、印刷処理制御部５０５、ジョブＩＤ記憶部５０７の一部の構成をコントローラ１０２が有し、他の構成をプリンタ装置１０１等が有するように構成してもよい。
【符号の説明】
【００５４】
１０１  プリンタ装置、１０２  コントローラ、１０３  端末装置、２０１、３０１、４０１  制御部、２０２、３０２、４０２  記憶部、２０３、３０３、４０３  操作部、２０４、３０４、４０４  表示部、２０５、３０６、３０４  通信部、３０５  プリント部、５０１  変更情報取得部、５０２  ジョブ取得部、５０３  トレイ状態検出部、５０４  警告部、５０５  印刷処理制御部、５０６  印刷部、５０７  ジョブＩＤ記憶部。
【図１】
0006417804.tif 000002
【図２】
0006417804.tif 000003
【図３】
0006417804.tif 000004
【図４】
0006417804.tif 000005
【図５】
0006417804.tif 000006
【図６】
0006417804.tif 000007
【図７】
0006417804.tif 000008
【図８】
0006417804.tif 000009
【図９】
0006417804.tif 000010
【図１０】
0006417804.tif 000011
【図１１】
0006417804.tif 000012
【図１２】
0006417804.tif 000013
【図１３】
0006417804.tif 000014
【図１４】
0006417804.tif 000015
【図１５】
0006417804.tif 000016